(57)【特許請求の範囲】
【請求項１】
被測定ガスと接触する接ガス部を有するガス検知素子と，該ガス検知素子を保持するハウジングと，該ハウジングのかしめ部に固定され上記ガス検知素子の上記接ガス部を覆う素子カバーとを有し，
上記ハウジングの上記かしめ部は，環状の溝部と，該溝部の外周部に位置するリング状のスカート部とよりなり，
上記素子カバーは，被測定ガス流通用の流通穴を設けた円筒状の管体を複数重ねた構造を有していると共に，上記各管体の開口端には外方へ拡開したフランジ部をそれぞれ設けてなり，
上記管体の各フランジ部は互いに重ね合わせた状態で上記かしめ部の上記溝部に挿入されていると共に内方にかしめられた上記スカート部によりかしめ固定されており，
かつ，上記複数の管体のうちの少なくとも一つの管体は上記フランジ部に略平坦形状を有し，他の少なくとも一つの管体は上記フランジ部に凹凸形状を有しており，
上記複数の管体は，上記略平坦形状を有するフランジ部と，上記凹凸形状を有するフランジ部とを交互に積層するよう配置することを特徴とするガスセンサ。
【請求項２】
請求項１において，上記管体は２つであり，一方の管体は上記フランジ部に略平坦形状を有し，他方の管体は上記フランジ部に凹凸形状を有していることを特徴とするガスセンサ。
【請求項３】
請求項１又は２において，上記凹凸形状は波形状であることを特徴とするガスセンサ。
【請求項４】
請求項１〜３のいずれか１項において，上記凹凸形状は，上記素子カバーにおける最も外方に位置する管体のフランジ部に設けてあることを特徴とするガスセンサ。
【請求項５】
請求項１〜４のいずれか１項において，上記ハウジングの上記かしめ部は，上記溝部の内周部にリング状のガイド部を設けてあることを特徴とするガスセンサ。
【請求項６】
請求項５において，上記ガイド部の外周面と上記素子カバーの内周面との間のクリアランスは０．０５〜０．２ｍｍであることを特徴とするガスセンサ。
【請求項７】
請求項１〜６のいずれか１項において，上記素子カバーの硬度は，上記ハウジングの硬度よりも高いことを特徴とするガスセンサ。
【発明の詳細な説明】
【０００１】
【技術分野】
本発明は，例えば自動車用内燃機関等の排気ガスにおける酸素濃度，空燃比状態，ＮＯｘ濃度等を測定することができるガスセンサに関する。
【０００２】
【従来技術】
例えば，内燃機関においては，排気ガス中の酸素濃度，空燃比状態等を検出し，その検出値に基づいて燃焼制御を行うことが，省エネルギー化，排ガス浄化等に非常に有効であることが知られている。上記排気ガス（被測定ガス）中の酸素濃度等を検出するセンサとしては，ジルコニア等の固体電解質よりなるガス検知素子を用いたものが知られている。
【０００３】
上記ガス検知素子としては，先端が閉塞されたコップ状のタイプ，シート状のものを積層してなる角型のタイプなどがある。いずれのガス検知素子も，被測定ガスと接触する接ガス部を有しており，該接ガス部を被測定ガス中に曝すことによって機能するものである。一方，ガス検知素子は，固体電解質により構成されているので，非常に脆く，これを露出させた状態での使用は困難である。そのため，ガスセンサにおける上記ガス検知素子には，これを保護するための素子カバーを被せてある。
【０００４】
また，上記素子カバーとしては，被測定ガスをガス検知素子の接ガス部に導く必要があるので，被測定ガス流通用の流通穴を有することが必要となる。しかしながら，この流通穴を通して，高温の被測定ガスがガス検知素子にダイレクトに当たるようになっていると，あるいは，被測定ガス中の凝縮水が直接ガス検知素子に付着するようになっているとこれがガス検知素子の破壊につながるおそれがある。
この不具合に対しては，ガス検知素子に直接被測定ガス等が当たらないようにするため，素子カバーを二重管構造とし，その外管と内管に設ける上記流通穴が重なり合わないようにずらすことが有効である。
【０００５】
【解決しようとする課題】
ところで，上記素子カバーのハウジングへの固定構造，固定方法としては，従来，種々の構造，方法等が開示されている。例えば，特公平５−１５２２１号公報においては，素子カバーが有底円筒状の１重構造の場合におけるかしめ固定が示されている。しかし，上記公報には，二重管構造の場合の固定構造等については何ら示されていない。
【０００６】
一方，二重管構造の素子カバーの固定方法としては，開口端にフランジ部を有する管体を重ね合わせ，重なったフランジ部をハウジング側のスカート部によりかしめ固定する方法がある。しかしながら，この場合には，固定されたフランジ部内の残留応力やスプリングバックの影響で，固定状態に緩みが生じるという問題がある。
【０００７】
これに対し，実公平６−３２６１６号公報には，開口端に溝状のフランジ部を有する２つの管体を重ね合わせ，重なったフランジ部の溝状部にリング部材を配置させたままハウジングをかしめる構造が示されている。この構造によれば，上記リング部材の介在によって，上記緩みの問題を解消しうる。しかしながら，この構造では，素子カバー以外に別部品のリングを必要とするため，部品点数の増加および構成の複雑化等の問題が残る。
【０００８】
また，素子カバーをハウジングに対して溶接固定する方法もある。しかしながら，この場合には，作業が煩雑になると共に溶接不良等によって固定精度が安定しないという問題もある。
【０００９】
本発明は，かかる従来の問題点に鑑みてなされたもので，複数の管体を重ね合わせてなる素子カバーを，ハウジングに対して容易かつ確実に固定してなるガスセンサを提供しようとするものである。
【００１０】
【課題の解決手段】
請求項１に記載の発明は，被測定ガスと接触する接ガス部を有するガス検知素子と，該ガス検知素子を保持するハウジングと，該ハウジングのかしめ部に固定され上記ガス検知素子の上記接ガス部を覆う素子カバーとを有し，
上記ハウジングの上記かしめ部は，環状の溝部と，該溝部の外周部に位置するリング状のスカート部とよりなり，
上記素子カバーは，被測定ガス流通用の流通穴を設けた円筒状の管体を複数重ねた構造を有していると共に，上記各管体の開口端には外方へ拡開したフランジ部をそれぞれ設けてなり，
上記管体の各フランジ部は互いに重ね合わせた状態で上記かしめ部の上記溝部に挿入されていると共に内方にかしめられた上記スカート部によりかしめ固定されており，
かつ，上記複数の管体のうちの少なくとも一つの管体は上記フランジ部に略平坦形状を有し，他の少なくとも一つの管体は上記フランジ部に凹凸形状を有しており，
上記複数の管体は，上記略平坦形状を有するフランジ部と，上記凹凸形状を有するフランジ部とを交互に積層するよう配置することを特徴とするガスセンサにある。
【００１１】
本発明において最も注目すべきことは，上記素子カバーを構成する複数の管体のうちの少なくとも１つには，そのフランジ部に凹凸形状を設け，他の少なくとも１つには，そのフランジ部に略平坦形状を設けたことである。
この凹凸形状としては，後述する波形状の他に，円錐状，四角錐状，円筒状等の種々の形状の突起部をフランジ部の表面と裏面とに設けた形状，切込みを入れて切断端面をそりあげた形状，ローレットがけにより得られた形状，その他様々な態様がある。
【００１２】
また，上記凹凸形状をフランジ部に設けた管体以外の少なくとも１つの管体のフランジ部は，略平坦な形状に設ける。全ての管体のフランジ部に凹凸を設けた場合には，上記かしめ固定時にスカート部により押さえ込む力として非常に大きな力が必要となり，上記スカート部の破損のおそれ，あるいはその破損を防止するためのハウジング素材強度の向上策が必要となる等の問題がある。
【００１３】
次に，本発明の作用効果につき説明する。
本発明においては，上記素子カバーを構成する管体の少なくとも１つには，そのフランジ部に上記凹凸形状を設けてある。そのため，上記複数の管体を重ね合わせて積層される複数のフランジ部をかしめ固定した場合には，緩み等が発生しない強固な固定状態に維持することができる。
【００１４】
即ち，上記管体を重ねて積層されたフランジ部は，上記凹凸形状の影響によって，凹凸高さの分だけ実際の肉厚の合計よりも厚くなる。この状態で上記かしめ部の溝部に上記フランジ部を挿入し，上記スカート部によってかしめた場合には，上記凹凸形状が変形等してその高さの分だけ薄くなった状態で固定される。そのため，固定後のフランジ部は，上記凹凸形状によって，フランジ部の積層厚みを元に戻そうとする弾性力の作用を維持した状態となる。
【００１５】
一方，上記かしめ部のスカート部は，かしめ固定時の加工によって上記のごとくフランジ部を押さえつける方向に塑性変形する。このとき，スカート部にも復元力が働く。いわゆるスプリングバック現象を起こし，フランジ部の押さえ力が弱くなる。ここで，従来ならば，固定構造に緩みが生じていた。
【００１６】
これに対し，本発明においては，上記のごとく固定されているフランジ部に上記凹凸形状による元に戻そうとする弾性力が維持されている。そのため，上記スカート部がスプリングバックした場合には，それを補うように，積層されたフランジ部が上記弾性力によって厚み方向に膨張し，緩みを防止する。それ故，非常に強固な固定状態を維持することができる。
そして，上記強固な固定状態は，部品点数の増加もせず，かしめ加工という簡単な加工方法により容易に実現することができる。
【００１７】
また，本発明においては，上記のごとく，略平坦形状のフランジ部を少なくとも１つ設ける。これにより，フランジ部のかしめ固定に要する力を低減することができる。これにより，上記の優れた作用効果を容易に実現することができ，また，ガスセンサの大型化を抑制することもできる。
【００１８】
したがって，本発明によれば，複数の管体を重ね合わせてなる素子カバーを，ハウジングに対して容易かつ確実に固定してなるガスセンサを提供することができる。
【００１９】
次に，本発明では，上記複数の管体は，上記略平坦形状を有するフランジ部と，上記凹凸形状を有するフランジ部とを交互に積層するよう配置する。
即ち，連続した２つの管体の両方のフランジ部に凹凸が設けられている場合には，上記２つのフランジ部の凹凸が重なり合う部分が存在することがある。この場合には，かしめ固定時に上記スカート部により押さえ込む力として非常に大きな力が必要となったり，応力のばらつきや応力集中が起こったりする。そのため，スカート部の破損のおそれ，あるいは，その破損を防止するためののハウジング素材強度の向上が必要となる。また，凹凸の重なりがある場合には，管体の周方向の位置を任意に調整することが困難となる。そのため，管体にそれぞれ設けた流通穴の位置調整が困難となる。
【００２０】
これに対して，上記のごとく，略平坦形状と凹凸形状とを交互に積層するよう配置することにより，上記スカート部の破損や素材強度の向上等の問題を発生させることなく，緩み等のない強固なかしめ固定状態を実現することができる。
さらに，この場合には，上記流通穴の位置調整も容易となる。
【００２１】
次に，請求項２に記載の発明のように，上記管体は２つであり，一方の管体は上記フランジ部に略平坦形状を有し，他方の管体は上記フランジ部に凹凸形状を有している構造をとることができる。この場合には，２重管構造の素子カバーを有するガスセンサにおいて，素子カバーの固定状態を従来よりも強固にすることができ，耐久性の向上等を図ることができる。
【００２２】
また，請求項３に記載の発明のように，上記凹凸形状は波形状であることが好ましい。この場合には，フランジ部への凹凸形状の加工を容易に行うことができる。なお，上記波形状における凸部と凸部の間隔，凸部の高さ凹部の深さ等は，フランジ部のサイズなどに応じて種々選択することができる。
【００２３】
また，請求項４に記載の発明のように，上記凹凸形状は，上記素子カバーにおける最も外方に位置する管体のフランジ部に設けてあることが好ましい。この場合には，フランジ部の幅が内側素子カバー（管体）のものよりも狭いこととなり，この狭い幅に凹凸を設ける方が広い幅に設ける場合より剛性アップを図ることができる。そのため，かしめによる変形に対し，より大きな弾性力を働かせることができ，より安定した固定状態を得ることができる。
【００２４】
また，請求項５に記載の発明のように，上記ハウジングの上記かしめ部は，上記溝部の内周部にリング状のガイド部を設けてあることが好ましい。この場合には，上記ガイド部と上記スカート部によって上記フランジ部をしっかりと挟持することができ，さらに素子カバーの固定状態を強固にすることができる。
【００２５】
また，請求項６に記載の発明のように，上記ガイド部の外周面と上記素子カバーの内周面との間のクリアランスは０．０５〜０．２ｍｍであることが好ましい。上記クリアランスが０．０５ｍｍ未満の場合には，ハウジングへの素子カバーの組付け性が悪くなるという問題があり，一方，０．２ｍｍを超える場合には上記ガイド部によるフランジ部の固定状態の強化効果が発揮されない等問題がある。
【００２６】
また，請求項７に記載の発明のように，上記素子カバーの硬度は，上記ハウジングの硬度よりも高いことが好ましい。この場合には，硬い素子カバーの凹凸が軟らかいハウジングへくい込み，回転方向のずれを無くすことができる。また，素子カバーの剛性が高く復元力もあるため，さらに強固で緩みのない固定を実現することができる。
【００２７】
【発明の実施の形態】
実施形態例１
本発明の実施形態例にかかるガスセンサにつき，図１〜図４を用いて説明する。
本例のガスセンサ１は，図３，図４に示すごとく，被測定ガスと接触する接ガス部１１を有するガス検知素子１０と，該ガス検知素子１０を保持するハウジング４と，該ハウジング４のかしめ部５に固定され上記ガス検知素子１０の上記接ガス部１１を覆う素子カバー２とを有する。
【００２８】
上記ハウジング４の上記かしめ部５は，環状の溝部５０と，該溝部５０の外周部に位置するリング状のスカート部５１とよりなる。
上記素子カバー２は，被測定ガス流通用の流通穴２５，３５を設けた有底円筒状の２つの管体２０，３を二重に重ねた二重管構造を有していると共に，上記各管体２０，３の開口端には外方へ拡開したフランジ部２９，３９をそれぞれ設けてなる。
【００２９】
上記管体２０，３の各フランジ部２９，３９は互いに重ね合わせた状態で上記かしめ部５の上記溝部５０に挿入されていると共に内方にかしめられた上記スカート部５１によりかしめ固定されている。
かつ，一方の管体３はフランジ部３９に略平坦形状を有し，他方の管体２０は上記フランジ部２９に凹凸形状２９０を有している。
【００３０】
以下，これを詳説する。
上記素子カバー２は，図１，図２に示すごとく，２つの管体，即ち外管２０と内管３とを重ね合わせた二重管構造の状態で上記ハウジング４に固定される。
上記内管３は，図１（ａ）に示すごとく，大径部３１１と小径部３１２よりなる側部３１を有する有底円筒状であると共に，その開口部側には固定用のフランジ部３９を有している。
【００３１】
このフランジ部３９は，平坦な形状に設けてある。また，フランジ部３９の外径は後述する外管２０のフランジ部２９と同じにしてあり，互いに重なり合うように設けてある。
また，内管３の円筒状の側部３１には，円周方向に８個，軸方向に２列，合計１６個の流通穴３５を，底部３２には１個の流通穴３５を設けてある。
【００３２】
上記外管２０は，図１（ｂ）に示すごとく，有底円筒状であると共に，その開口部側に固定用のフランジ部２９を有している。また，外管２０の円筒状の側部２１には，円周方向に８個，軸方向に３列，合計２４個の流通穴２５を，底部２２には，１個の流通穴２５を設けてある。
上記外管２０のフランジ部２９は，同図に示すごとく，波形状よりなる凹凸形状２９０を有している。
なお，上記外管２０および内管３に設けられた流通穴２５，３５等の位置および数は，ガス検知素子を保護する機能を損なわない範囲で任意に設定できる。
【００３３】
そして，素子カバー２は，上記内管３と外管２０とを重ね合わせて二重管構造にした状態でハウジング４のかしめ部５に固定される。
図２（ｂ）に示すごとく，内管３と外管２０とを重ね合わせた場合には，互いのフランジ部３９，２９が積層された状態となる。このとき，同図に示すごとく，フランジ部３９，２９の積層状態は，上記外管２０のフランジ部２９における凹凸形状２９０の影響によって，実際の肉厚の合計厚みよりも厚みが大きい状態となる。
【００３４】
一方，ハウジング４のかしめ部５は，図２（ａ）に示すごとく，環状の溝部５０と，該溝部５０の外周部に位置するリング状のスカート部５１とを有している。また，溝部５０の内周部にはリング状のガイド部５３を設けてある。
そして，上記素子カバー２の固定は，上記積層されたフランジ部２９，３９をかしめ部５の溝部５０に挿入し，周囲のスカート部５１をかしめることにより行われる。
これにより，図３，図４に示すごとく，上記フランジ部２９の凹凸形状２９０はつぶされる方向に変形した状態でかしめ部５に固定される。
【００３５】
次に，本例のガスセンサ１の全体構造を図３，図４を用いて簡単に説明する。図３，図４に示すごとく，ガスセンサ１のガス検知素子１０は，コップ状を呈しており，その内部に大気と接する基準ガス室１２を設け，その外表面側の上記接ガス部１１の周囲には被測定ガス室１３を設けてある。また，ガス検知素子１０には，その基準ガス室１２側に基準電極を，被測定ガス室１３側に測定電極をそれぞれ設けてある（図示略）。
また，ガス検知素子１０の内部には，これを適温に加熱するためのヒータ１５が挿入配置されている。
【００３６】
図３に示すごとく，ハウジング４の上方には大気側カバー４２１，４２２，４２３を設けてあると共に，その上端にはリード線４７１，４８１，４９１が挿入された弾性絶縁部材４５が設けてある。上記リード線４８１，４９１は，ガス検知素子１０からの出力を取り出してガスセンサ１の外部に送るものである。
また，上記リード線４７１は，ヒータ１５に通電するためのものである。
【００３７】
上記リード線４８１，４９１の下端には接続端子４８２，４９２が設けてあり，該接続端子４８２，４９２により，ガス検知素子１０に固定した金属端子４８３，４９３とが導通されている。また，接続端子４８２，４９２の周囲は電気絶縁性のインシュレータ４４により囲んである。
なお，上記金属端子４８３，４９３は，ガス検知素子１０における基準電極及び測定電極に導通した各ターミナル部に対し接触固定されている。
【００３８】
次に，本例の作用効果につき説明する。
本例のガスセンサ１においては，上記素子カバー２を構成する２つの管体のうちの外管２０には，そのフランジ部２９に凹凸形状２９を設けてある。そのため，上記管体２０，３を重ねて積層されたフランジ部２９，３９は，上記のごとく，凹凸形状２９０の影響によって，凹凸高さの分だけ実際の肉厚の合計よりも厚くなる。
【００３９】
この状態でかしめ部５の溝部５０にフランジ部２９，３９を挿入し，スカート部５１によってかしめた場合には，上記凹凸形状２９０が変形等してその高さの分だけ薄くなった状態で固定される。そのため，固定後のフランジ部２９，３９は，上記凹凸形状２９０によって，フランジ部２９，３９の積層厚みを厚くする方向（元に戻ろうとする方向）への弾性力を維持した状態となる。
【００４０】
一方，上記かしめ部５のスカート部５１は，かしめ固定時の加工によってフランジ部２９，３９を押さえつける方向に塑性変形した際に，復元力が働き，スプリングバック現象を起こす。
ここで，本例においては，上記のごとく固定されているフランジ部２９に上記凹凸形状２９０による弾性力が維持されている。そのため，スカート部５１がスプリングバックした場合には，それを補うように，積層されたフランジ部２９が上記残留応力によって厚み方向に膨張し，緩みを防止する。それ故，安定した非常に強固な固定状態を維持することができる。
そして，上記強固な固定状態は，部品点数の増加もせず，かしめ加工という簡単な加工方法により容易に実現することができる。
【００４１】
実施形態例２
本例は，図５に示すごとく，実施形態例１における素子カバー２の構造を３つの管体６１〜６３を重ね合わせた三重管構造とした例である。
即ち，本例の管体は，外管６１と内管６３との間に中管６２を設けてなる。そして，中管６２のフランジ部６２９には，波形状の凹凸形状を設けた。また外管６１と内管６３のフランジ部６１９，６３９は，いずれも平坦な形状に設けた。
その他は実施形態例１と同様である。
本例の場合にも，実施形態例１と同様の作用効果が得られる。
【００４２】
実施形態例３
本例においては，図６に示すごとく，実施形態例１におけるフランジ部２９に設ける凹凸形状２９０の例を示す。
図６（ａ）〜（ｄ）に示すごとく，凹凸形状２９０は，凸２９１部と凹部２９２の曲率を同じにした波形状（ａ），凸部２９１と凹部２９２の曲率を変更した波形状（ｂ，ｃ），凸部２９１と凹部２９２を山形状にしたもの（ｄ）等，種々の形状とすることができる。
また，図６（ｅ）（ｆ）に示すごとく，種々の形状の突起部２９３をフランジ部２９の表裏にそれぞれ設けた形状とすることもできる。
【００４３】
実施形態例４
本例は，実施形態例１の外管２０における凹凸形状２９０の有無，波形状の高さが固定状態に与える効果の差異等を，定量的に測定した。
具体的には，次の６種類の試料（Ｅ１〜Ｅ４，Ｃ１，Ｃ２）を準備して，９０Ｇ耐久試験を行った。
【００４４】
試料Ｅ１は，外管２０及び内管３のフランジ部２９，３９の肉厚が０．５ｍｍ，外管２０の波高さ（波の最上点と最下点の距離から厚みを引いた値）が０．２ｍｍのものである。
【００４５】
試料Ｅ２は，外管２０の波高さを０．５ｍｍとし，その他は試料Ｅ１と同じにしたものである。
試料Ｅ３は，フランジ部２９，３９の肉厚を０．６ｍｍに変化させ，その他は試料Ｅ２と同じにしたものである。
【００４６】
試料Ｃ１は，図７に示すごとく，外管２０の波高さを０として凹凸形状をなくして平坦な形状とし，その他は試料Ｅ１と同じにした比較品である。
試料Ｃ２は，フランジ部２９，３９の肉厚を０．６ｍｍに変化させ，その他は試料Ｃ１と同じにした比較品である。
また，上記９０Ｇ耐久試験は，衝撃試験機により行った。
【００４７】
試験結果を図８に示す。
同図は，横軸に試料の種類を，縦軸に耐久時間を示した。また，耐久時間は，全く不具合が生じなかった時間を○，緩みによるガタが生じた時間を△，素子カバーにはずれ（脱落）が生じた場合を×を用いて示した。また，各試料については，それぞれ２〜３回（ｎ＝２〜３）行った。
【００４８】
同図より知られるごとく，上記フランジ部２９に凹凸形状を設けていないＣ１，Ｃ２に比べ，凹凸形状を設けたＥ１〜Ｅ３は，いずれも耐久性が高いという結果が得られた。また，フランジ部の厚みは厚い方が耐久性が高いことも分かる。また，波高さが０．２ｍｍの場合には，その効果にばらつきがある。このことから，波高さを０．２ｍｍ以上とすることが，効果の安定化に有効であると考えられる。
【００４９】
実施形態例５
本例は，実施形態例１のガスセンサ１における，ハウジング４の上記ガイド部５３の外周面と上記素子カバー２の内周面との間のクリアランスが素子カバーの固定状態に与える影響を試験。なお，上記クリアランスは，図９に示すごとく，素子カバー２の内径をｄ１，ガイド部５３の外径ｄ２とした場合に，（ｄ１−ｄ２）／２により表される。
【００５０】
試料としては，上記クリアランスの値を０．０５〜０．２５に変化させて作製した５種類のガスセンサと，ガイド部５３を設けていない比較用の１種類のガスセンサを準備した。なお，凹凸形状等，その他は実施形態例１と同様とした。
試験は，８００〜９００℃の雰囲気温度において，毎分８００〜１０００回程度衝撃力を加えるという条件の９０Ｇ加熱衝撃試験を行った。また，耐久時間は，素子カバー２とハウジング４との間に緩みによるガタが生じた時間とした。
【００５１】
試験結果を図９に示す。同図は，横軸に上記クリアランスを，縦軸に上記耐久時間をとった。
同図より知られるごとく，上記クリアランスが０．２５ｍｍと大きい場合には，ガイド部を設けない場合とほとんど変わらなかった。また，クリアランスが０．２０ｍｍ以下の場合には，これを小さくすればするほど耐久性は向上した。
一方，組付け性の点から見ると，クリアランスを０．０５ｍｍ未満にすることは困難である。したがって，ガイド部を設け，かつ上記クリアランスを０．０５〜０．２０ｍｍに設定することが，素子カバーの固定状態を維持する耐久性の向上に有効であることが分かる。
【００５２】
実施形態例６
本例は，実施形態例１のガスセンサ１におけるハウジング４の素子カバーかしめ固定部を，素子カバーのフランジ部の硬さよりも軟らかい硬さを有する素材で構成した例である。
具体的には，例えば，ハウジング４をＳＵＳ４３０（硬度Ｈｖ＝約２２０）により構成し，素子カバーをＳＵＳ３１０（硬度Ｈｖ＝３５０）で構成することができる。
【００５３】
この場合には，硬い素子カバーの凹凸が軟らかいハウジング４へくい込み，回転方向のずれを無くすことができる。また，素子カバーの剛性が高く復元力もあるため，さらに強固で緩みのない固定を実現することができる。
【図面の簡単な説明】
【図１】実施形態例１における，（ａ）内管の斜視図，（ｂ）外管の斜視図。
【図２】実施形態例１における，（ａ）かしめ固定前のハウジングのかしめ部の断面図，（ｂ）かしめ固定前の素子カバーの一部切り欠き断面図。
【図３】実施形態例１における，ガスセンサの全体構成を示す説明図。
【図４】実施形態例１における，素子カバー部分の断面図。
【図５】実施形態例２における，かしめ固定前の素子カバーの一部切り欠き断面図。
【図６】実施形態例３における，凹凸形状の変更例を示す説明図。
【図７】実施形態例４における，比較例のかしめ固定前の素子カバーの一部切り欠き断面図。
【図８】実施形態例４における，波高さと，素子カバーの固定構造の耐久性との関係を示す説明図。
【図９】実施形態例５における，ガイド部との間のクリアランスと，素子カバーの固定構造の耐久性との関係を示す説明図。
【符号の説明】
１．．．ガスセンサ，
１０．．．ガス検知素子，
１１．．．接ガス部，
１５．．．ヒータ，
２．．．素子カバー，
２０．．．外管，
２９．．．フランジ部，
２９０．．．凹凸形状，
３．．．外管，
３９．．．フランジ部，
４．．．ハウジング，
５．．．かしめ部，
５０．．．溝部，
５１．．．スカート部，
５３．．．ガイド部，
【図１】
0003867423.tif 000002
【図２】
0003867423.tif 000003
【図３】
0003867423.tif 000004
【図４】
0003867423.tif 000005
【図５】
0003867423.tif 000006
【図６】
0003867423.tif 000007
【図７】
0003867423.tif 000008
【図８】
0003867423.tif 000009
【図９】
0003867423.tif 000010